(57)【特許請求の範囲】
【請求項１】
下部構造体から上方へ突出するアンカーボルトに被着され、上部構造体を下部構造体に据付けるときに該上部構造体の被固定部に備えた孔に挿通され、上下方向に分離可能な複数の部材からなるアンカーキャップであって、
前記複数の部材が、最下部の部材であるスペーサ部材と、それ以外のガイド部材とからなり、
スペーサ部材は、上部構造体が下部構造体の上に据付けられた状態でアンカーボルトと該上部構造体の孔との間隙を埋めるように留置され、
ガイド部材は、上部構造体が下部構造体の上に据付けられるときに該上部構造体の孔のアンカーボルトへの挿通をガイドするとともに、該上部構造体の据付け後には回収されるアンカーキャップ。
【請求項２】
前記ガイド部材の頭部が錐形状をなす請求項１に記載のアンカーキャップ。
【請求項３】
前記ガイド部材が上下に分離可能な２部品からなる請求項１又は２に記載のアンカーキャップ。
【発明の詳細な説明】
【技術分野】
【０００１】
本発明はアンカーキャップに関する。
【背景技術】
【０００２】
一般に、建物の建て方は、コンクリート基礎（下部構造体）から上方へアンカーボルトが突出するように設けられた状態で、このコンクリート基礎の上に据付けられる建物の例えば床枠組（上部構造体）の土台等（被固定部）に設けた孔がアンカーボルトに挿通され、建物の床枠組をこのアンカーボルトに締結されるナット等でコンクリート基礎の上に固定するようにしている。
【０００３】
建物の床枠組をコンクリート基礎の上に据付ける作業は、クレーン等で吊り上げた建物における床枠組の土台等に設けた孔が、アンカーボルトに位置合せされて挿通されながら、該建物の床枠組をコンクリート基礎の上に落とし込むようにしている。
【０００４】
従来、建物の床枠組をコンクリート基礎の上に据付ける上述の作業では、床枠組の土台等に設けた孔のアンカーボルトへの位置合せの簡易化、及び床枠組の土台等に設けた孔がアンカーボルトのねじ山に接触して該ねじ山をキズ付けることの防止を図るため、床枠組の据付け時にアンカーボルトに被着されるアンカーキャップが用いられている。
【０００５】
アンカーキャップは、特許文献１に記載の如く、円筒状部と、円筒状部の上方に連設される円錐状部とを有する。円筒状部は、建物の床枠組がコンクリート基礎の上に据付けられるとき、アンカーボルトの周囲に被さって該アンカーボルトのねじ山を保護する。円錐状部は、建物の床枠組がコンクリート基礎の上に据付けられるとき、床枠組の土台等に設けた孔へのアンカーボルトの挿通を簡易にガイドする。尚、アンカーキャップは、建物の床枠組がコンクリート基礎の上に据付けられた後、アンカーボルトから取り外され再使用される。
【先行技術文献】
【特許文献】
【０００６】
【特許文献１】特開平5-332334号公報
【発明の概要】
【発明が解決しようとする課題】
【０００７】
従来のアンカーキャップには以下の問題点がある。
(1)建物の床枠組の据付け時にアンカーボルトに被着されるアンカーキャップの全長は、円筒状部に円錐状部が連設された長尺状をなす。他方、床枠組の土台等に設けた孔がアンカーボルトに被着されたアンカーキャップに挿通されてコンクリート基礎の上に据付けられたとき、該床枠組がアンカーキャップを鉛直上方から覆う遮蔽部を付帯することがある。この遮蔽部は例えば床枠組においてアンカーボルトを納めるように該床枠組の根太に形成した窓状切欠部の天井面等である。
【０００８】
このとき、コンクリート基礎の上に突出するアンカーボルトの上端部と、上述の遮蔽部との上下方向間隔が、アンカーキャップの全長より短い等にあっては、アンカーキャップをアンカーボルトから撤去するためにアンカーボルトから引抜いて取り外そうとすると、該アンカーキャップの上部が遮蔽部に干渉して上述の取り外しを不能にすることがある。即ち、上記ナットの締結が不可能となりアンカーキャップが再使用不可能になる。
【０００９】
(2)建物の床枠組の据付け時に、床枠組に設けられてアンカーボルトに挿通される孔は、該アンカーボルトに被着されるアンカーキャップの円筒状部に遊びをもって容易に挿通し得るばか孔とされていて、該床枠組の据付け後にアンカーキャップがアンカーボルトから撤去されると、該床枠組の土台等に設けてある孔が該アンカーボルトの外径の周囲に大きな間隙を形成するものになる。このため、建物の床枠組がコンクリート基礎の上に据付けられ、アンカーキャップがアンカーボルトから取り外されたときには、アンカーボルトにナット等が締結される前段階は勿論、その後段階でも、建物の床枠組がコンクリート基礎の上で上記孔がアンカーボルトの外径の周囲に形成する間隙の範囲で横移動するおそれがある。
【００１０】
本発明の課題は、上部構造体を下部構造体の上に据付けて固定可能にするアンカーボルトに被着されるアンカーキャップの使用時に、アンカーキャップを上部構造体に干渉させずにアンカーボルトから取り外し可能にすることにある。
【００１１】
本発明の他の課題は、上部構造体の据付け後における該上部構造体の横移動を防止することにある。
【課題を解決するための手段】
【００１２】
請求項１に係る発明は、下部構造体から上方へ突出するアンカーボルトに被着され、上部構造体を下部構造体に据付けるときに該上部構造体の被固定部に備えた孔に挿通され、上下方向に分離可能な複数の部材からなるアンカーキャップであって、前記複数の部材が、最下部の部材であるスペーサ部材と、それ以外のガイド部材とからなり、スペーサ部材は、上部構造体が下部構造体の上に据付けられた状態でアンカーボルトと該上部構造体の孔との間隙を埋めるように留置され、ガイド部材は、上部構造体が下部構造体の上に据付けられるときに該上部構造体の孔のアンカーボルトへの挿通をガイドするとともに、該上部構造体の据付け後には回収されるようにしたものである。
【００１３】
請求項２に係る発明は、請求項１に係る発明において更に、前記ガイド部材の頭部が錐形状をなすようにしたものである。
【００１４】
請求項３に係る発明は、請求項１又は２に係る発明において更に、前記ガイド部材が上下に分離可能な２部品からなるようにしたものである。
【発明の効果】
【００１６】
（請求項１）
(a)建物の上部構造体の据付け時にアンカーボルトに被着されるアンカーキャップが上下方向に分離可能な複数の部材からなり、各部材の長さはアンカーキャップの全長よりも短尺になる。
【００１７】
他方、上部構造体の被固定部がアンカーボルトに被着されたアンカーキャップの各部材に挿通されて下部構造体の上に据付けられたとき、該上部構造体がアンカーキャップを鉛直上方から覆う遮蔽部を付帯することがある。
【００１８】
ここで、アンカーボルトの上端部と遮蔽部との上下方向間隔Ｈ（図３）がアンカーキャップの全長より短い等にあっては、アンカーキャップをアンカーボルトから取り外すために該アンカーキャップの全長を一体で上部構造体の被固定部に備えた孔から引抜こうとしても、該アンカーキャプの上部が遮蔽部に干渉して引抜きできない。ところが、本発明では、アンカーキャップが上下複数の部材からなっていて、各部材の長さがアンカーキャップの全長に比して相当に短尺をなすものになっている。このため、このように短尺化された各部材の長さを上述の上下方向間隔Ｈより短くしたり、各部材の形態の選定を図ることにより、それらの部材を上部構造体の遮蔽部に干渉させずにアンカーボルトから取り外すことができる。
【００１９】
(b)アンカーキャップが上下方向に分離されたスペーサ部材とガイド部材からなり、換言すれば、上下方向に分離可能な複数の部材からなっていて、ガイド部材が上部構造体の据付け後に回収される。ガイド部材の長さはアンカーキャップの全長に比して相当に短尺をなすものになり、このように短尺化されたガイド部材の長さを上述の上下方向間隔Ｈより短くしたり、ガイド部材の形態の選定を図ることにより、ガイド部材を上述(a)の如くに上部構造体の遮蔽部に干渉させずにアンカーボルトから取り外すことができる。
【００２０】
(c)スペーサ部材は、上部構造体が下部構造体の上に据付けられた状態でアンカーボルトと該上部構造体の孔の間隙Ｋ（図４）を埋めるように留置される。これにより、上部構造体の据付け後にアンカーキャップのガイド部材をアンカーボルトから取り外しても、上部構造体の被固定部に設けてある孔がアンカーボルトの外径の周囲に形成する間隙Ｋをアンカーキャップのスペーサ部材で埋めるものになる。従って、上部構造体が下部構造体の上に据付けられ、アンカーキャップがアンカーボルトから取り外されても、アンカーボルトにナット等が締結される前段階は勿論、その後段階でも、上部構造体が下部構造体の上で上記間隙Ｋの存在に起因する横移動のおそれがないものになる。
【００２１】
（請求項２）
(d)ガイド部材の頭部が錐形状をなすものとすることにより、ガイド部材に対する上部構造体の孔の挿通をスムースにガイドし得るものになる。
【００２２】
また、上部構造体が下部構造体の上に据付けられた状態で、アンカーボルトに被着されたガイド部材の錐形状の頭部が上部構造体の遮蔽部の鉛直下方領域にあったとしても、アンカーボルト及びガイド部材の中心軸の上向き延長線が上部構造体の遮蔽部の前方を横切っているような場合には、アンカーボルトから引抜かれる際のガイド部材の頭部はその中心軸上の頂点が遮蔽部に当たることなく、その頂点の周辺の裾野状部分が遮蔽部に当たるものになる。このとき、例えば図３に示す如く、ガイド部材の全長Ｌ3（図１）が前述の上下方向間隔Ｈより大きく設定されていても、ガイド部材の下端面から上記遮蔽部に当たる部分までの長さＬa（図３）を前述の上下方向間隔Ｈより小に設定することができるものになり、ガイド部材は上部構造体の遮蔽部に干渉せずにアンカーボルトから取り外し可能な形態に容易に選定され得るものになる。
【００２３】
（請求項３）
(e)ガイド部材が上下に分離可能な２部品からなるものとすることにより、上下のガイド部材の長さを一層短尺化し、それらの上下のガイド部材を上部構造体の遮蔽部に一層干渉させずにアンカーボルトから取り外しできる。
【図面の簡単な説明】
【００２４】
【図１】図１は上部構造体の下部構造体への据付け過程を示す模式図である。
【図２】図２は上部構造体の下部構造体への据付け完了状態を示す模式図である。
【図３】図３はガイド部材の取り外し過程を示す模式図である。
【図４】図４はガイド部材の取り外し完了状態を示す模式図である。
【図５】図５は座金の設置過程を示す模式図である。
【図６】図６はナットの締結過程を示す模式図である。
【図７】図７はナットの締結完了状態を示す模式図である。
【図８】図８はアンカーボルトへのアンカーキャップの被着過程を示す模式図である。
【発明を実施するための形態】
【００２５】
図１〜図８に示す如く、下部構造体としてのコンクリート基礎１０は、アンカーボルト１１を上方へ突出するように植設し、このアンカーボルト１１に挿通された基礎パッキン１２を該コンクリート基礎１０の上に敷設して備える。
【００２６】
コンクリート基礎１０の上に基礎パッキン１２を介して据付けられる上部構造体としての建物ユニット２０は、床枠組２１の被固定部としての土台２２に備えた孔２３をアンカーボルト１１に挿通され、このアンカーボルト１１に締結されるナット１３でコンクリート基礎１０の上に固定される。土台２２の孔２３まわりの上面には座金２４が配設される。
【００２７】
ここで、建物ユニット２０をコンクリート基礎１０の上に据付けるときには、アンカーボルト１１にアンカーキャップ３０が被着される。アンカーキャップ３０は、床枠組２１の土台２２に備えた孔２３のアンカーボルト１１への位置合せの簡易化、及び床枠組２１の土台２２に備えた孔２３がアンカーボルト１１のねじ山１１Ａに接触して該ねじ山１１Ａをキズ付けることの防止に寄与する。
【００２８】
尚、建物ユニット２０における床枠組２１の土台２２が、アンカーボルト１１に被着されたアンカーキャップ３０に挿通されてコンクリート基礎１０の上に据付けられたとき、床枠組２１はアンカーキャップ３０を鉛直上方から覆う遮蔽部２１Ｒを付帯する。この遮蔽部２１Ｒは、アンカーボルト１１の上部を納めるように床枠組２１の根太２１Ａに形成した窓状切欠部２１Ｗの天井面からなるものである。ここで、アンカーボルト１１の上端部と遮蔽部２１Ｒとの上下方向間隔はＨであるものとする。
【００２９】
以下、本実施例のアンカーキャップ３０について詳述する。
アンカーキャップ３０は、上下方向に分離可能な複数の部材、本実施例では最下部の部材で一部品をなすスペーサ部材３１と、それ以外の中間部と最上部の部材で２部品をなすガイド部材３２、３３とかならなる。本実施例のガイド部材３２、３３は上下に分離可能な２部品からなるものとされたが、３部品以上に分離可能とされるものであっても良い。最上部のガイド部材３３の頭部３３Ａは円錐等の錐形状をなす。
【００３０】
スペーサ部材３１は、建物ユニット２０がコンクリート基礎１０の上に据付けられた状態で、アンカーボルト１１と、建物ユニット２０における床枠組２１の土台２２に備えた孔２３との環状間隙Ｋを埋めるように留置される。
【００３１】
ガイド部材３２、３３は、建物ユニット２０がコンクリート基礎１０の上に据付けられるときに、該建物ユニット２０における床枠組２１の土台２２に備えた孔２３がアンカーボルト１１に挿通されるのをガイドするとともに、該建物ユニット２０の据付け後にはアンカーボルト１１の周囲から取り外されて回収される。
【００３２】
本実施例において、スペーサ部材３１及びガイド部材３２、３３は、金属又はプラスチックから製作され、アンカーボルト１１の外径より大きな内径と、建物ユニット２０における床枠組２１の土台２２に備えた孔２３の内径より小さな外径をもつ筒状体からなる。スペーサ部材３１、ガイド部材３２、３３の各内外径は互いに同じに設定される。スペーサ部材３１とガイド部材３２は円筒体にて構成され、ガイド部材３３は円筒体の上部に円錐形状の頭部３３Ａを備えて構成される。
【００３３】
また、本実施例において、建物ユニット２０がコンクリート基礎１０の上に据付けられた状態で、スペーサ部材３１はアンカーボルト１１に被着されるとともに、アンカーボルト１１と土台２２に備えた孔２３との環状間隙Ｋを埋めるように該間隙Ｋに装填される。このとき、スペーサ部材３１は、下端面をコンクリート基礎１１の上の基礎パッキン１２の上面に着座させるとともに、上端面を土台２２の上面と面一（又は土台２２の上面よりも下位）にし、該スペーサ部材３１の長さＬ1（図１）を土台２２の板厚ｔ（図１）以下とする。
【００３４】
また、本実施例において、ガイド部材３２の長さＬ2（図１）は、前述したアンカーボルト１１の上端部と遮蔽部２１Ｒ（床枠組２１の根太２１Ａに形成した窓状切欠部２１Ｗの天井面）との上下方向間隔Ｈよりも短く、Ｌ2＜Ｈの関係をなすように設定される。
【００３５】
また、本実施例において、ガイド部材３３の長さＬ3は前述の上下方向間隔Ｈよりも大きい。ところが、図１〜図７に示す如く、建物ユニット２０がコンクリート基礎１０の上に据付けられた状態で、アンカーボルト１１及びガイド部材３３の中心軸の上向き延長線が床枠組２１の遮蔽部２１Ｒの側方を横切っていることから、アンカーボルト１１から引抜かれる際のガイド部材３３の頭部３３Ａはその中心軸上の頂点が遮蔽部２１Ｒに当たることなく、その頂点の周辺の裾野状部分が遮蔽部２１Ｒに当たるものになる。従って、ガイド部材３３の下端面から上記遮蔽部２１Ｒに当たる部分までの長さＬaは前述の上下方向間隔Ｈより短く、Ｌa＜Ｈの関係をなすように設定される。
【００３６】
以下、アンカーキャップ３０を用いた建物ユニット２０の建て方について説明する。
(1)アンカーキャップ３０（スペーサ部材３１、ガイド部材３２、３３）の被着（図１）
コンクリート基礎１０及び基礎パッキン１２から上方に突出するアンカーボルト１１にアンカーキャップ３０（スペーサ部材３１、ガイド部材３２、３３）を被着する。スペーサ部材３１は基礎パッキン１２の上面に着座し、ガイド部材３２はスペーサ部材３１の上端面に着座し、ガイド部材３３はガイド部材３２の上端面に着座する。
【００３７】
(2)建物ユニット２０の据付け（図１〜図２）
クレーン等で吊った建物ユニット２０における床枠組２１の土台２２に備えた孔２３をコンクリート基礎１０に植設してあるアンカーボルト１１の真上に位置付けた状態で、建物ユニット２０を徐々に降下させていくと、土台２２の孔２３がアンカーキャップ３０の最上部のガイド部材３３における頭部３３Ａの円錐形状にガイドされ、ガイド部材３３、３２、及びスペーサ部材３１の周囲に挿通される。このとき、スペーサ部材３１、ガイド部材３２、３３の各外径が連続して段差のない同一円筒面上に位置するように、スペーサ部材３１、ガイド部材３２、３３の各内径がアンカーボルト１１のねじ山１１Ａに対してなす遊びを可及的に小さくする。
【００３８】
建物ユニット２０がコンクリート基礎１０の上に据付けられた状態で、スペーサ部材３１は、アンカーボルト１１と土台２２の孔２３との環状間隙を埋めるように留置される。
【００３９】
(3)ガイド部材３２、３３の取り外し（図３、図４）
ガイド部材３３をアンカーボルト１１から引抜いて取り外す。ガイド部材３３をアンカーボルト１１から引抜いたときに、アンカーボルト１１の中心軸の上向き延長線が前述の通り、建物ユニット２０の床枠組２１に付帯する遮蔽部２１Ｒの側方を横切っているため、ガイド部材３３における頭部３３Ａの頂点は遮蔽部２１Ｒに当たることがない。ガイド部材３３における頭部３３Ａの頂点周辺部分が遮蔽部２１Ｒに当たるものの（図３）、ガイド部材３３の下端面から遮蔽部２１Ｒに当たる部分までの長さＬaは、アンカーボルト１１の上端部と遮蔽部２１Ｒとの上下方向間隔Ｈより小さく設定されているため、ガイド部材３３が遮蔽部２１Ｒに当たるときには、ガイド部材３３はアンカーボルト１１から既に引抜かれた状態にあり、ガイド部材３３Ｒは遮蔽部２１Ｒに干渉せずにアンカーボルト１１から取り外しできる。
【００４０】
続いて、ガイド部材３２をアンカーボルト１１から引抜いて取り外す。ガイド部材３２の長さＬ2は、アンカーボルト１１の上端部と遮蔽部２１Ｒとの上下方向間隔Ｈより小さく設定されているため、ガイド部材３２は遮蔽部２１Ｒに干渉せずにアンカーボルト１１から取り外しできる。
【００４１】
(4)座金２４の設置（図５）
ガイド部材３２、３３が取り外されたアンカーボルト１１に座金２４を挿着する。座金２４は土台２２においてアンカーボルト１１が挿通され、スペーサ部材３１が留置されている孔２３まわりの上面に設置される。
【００４２】
(5)ナット１３による締結（図６〜図７）
アンカーボルト１１にナット１３を螺着し、コンクリート基礎１０とナット１３の間に基礎パッキン１２、床枠組２１の土台２２、座金２４を締結する。これにより、コンクリート基礎１０の上に建物ユニット２０における床枠組２１の土台２２が固定されたものになる。このとき、アンカーキャップ３０のスペーサ部材３１は、アンカーボルト１１と床枠組２１の土台２２に備えた孔２３との環状間隙を埋めるように留置されている。
【００４３】
従って、本実施例によれば以下の作用効果を奏する。
(a)建物ユニット２０の据付け時にアンカーボルト１１に被着されるアンカーキャップ３０が上下方向に分離可能な複数の部材３１、３２、３３からなり、各部材３１、３２、３３の長さＬ1、Ｌ2、Ｌ3はアンカーキャップ３０の全長よりも短尺になる。
【００４４】
他方、建物ユニット２０の土台２２がアンカーボルト１１に被着されたアンカーキャップ３０の各部材３１、３２、３３に挿通されてコンクリート基礎１０の上に据付けられたとき、該建物ユニット２０がアンカーキャップ３０を鉛直上方から覆う遮蔽部２１Ｒを付帯することがある。
【００４５】
ここで、アンカーボルト１１の上端部と遮蔽部２１Ｒとの上下方向間隔Ｈがアンカーキャップ３０の全長より短い等にあっては、アンカーキャップ３０をアンカーボルト１１から撤去するために該アンカーキャップ３０の全長を一体で建物ユニット２０の土台２２に備えた孔２３から引抜こうとしても、該アンカーキャプの上部が遮蔽部２１Ｒに干渉して引抜きできない。ところが、本発明では、アンカーキャップ３０が上下複数の部材３１、３２、３３に分離されていて、アンカーボルト１１から取り外すことになる各部材３２、３３の長さＬ2、Ｌ3がアンカーキャップ３０の全長に比して相当に短尺をなすものになっている。このため、このように短尺化された各部材３２、３３の長さＬ2、Ｌ3を上述の上下方向間隔Ｈより短くしたり、各部材３２、３３の形態の選定を図ることにより、それらの部材３２、３３を建物ユニット２０の遮蔽部２１Ｒに干渉させずにアンカーボルト１１から取り外しできる。
【００４６】
(b)アンカーキャップ３０が上下方向に分離されたスペーサ部材３１とガイド部材３２、３３からなり、換言すれば、上下方向に分離可能な複数の部材３１、３２、３３からなっていて、ガイド部材３２、３３が建物ユニット２０の据付け後に回収される。ガイド部材３２、３３の長さＬ2、Ｌ3はアンカーキャップ３０の全長に比して相当に短尺をなすものになり、このように短尺化されたガイド部材３２、３３の長さＬ2、Ｌ3を上述の上下方向間隔Ｈより短くしたり、ガイド部材３２、３３の形態の選定を図ることにより、ガイド部材３２、３３を上述(a)の如くに建物ユニット２０の遮蔽部２１Ｒに干渉させずにアンカーボルト１１から取り外しできる。
【００４７】
(c)スペーサ部材３１は、建物ユニット２０がコンクリート基礎１０の上に据付けられた状態でアンカーボルト１１と該建物ユニット２０の孔２３の間隙を埋めるように留置される。これにより、建物ユニット２０の据付け後にアンカーキャップ３０のガイド部材３２、３３をアンカーボルト１１から取り外しても、建物ユニット２０の土台２２に設けてある孔２３がアンカーボルト１１の外径の周囲に形成する間隙Ｋをアンカーキャップ３０のスペーサ部材３１で埋めるものになる。従って、建物ユニット２０がコンクリート基礎１０の上に据付けられ、アンカーキャップ３０がアンカーボルト１１から撤去されても、アンカーボルト１１にナット１３等が締結される前段階は勿論、その後段階でも、建物ユニット２０がコンクリート基礎１０の上で上記間隙Ｋの存在に起因する横移動のおそれがないものになる。
【００４８】
(d)ガイド部材３３の頭部３３Ａが円錐形状をなすものとすることにより、ガイド部材３３に対する建物ユニット２０の孔２３の挿通をスムースにガイドし得るものになる。
【００４９】
また、建物ユニット２０がコンクリート基礎１０の上に据付けられた状態で、アンカーボルト１１に被着されたガイド部材３３の円錐形状の頭部３３Ａが建物ユニット２０の遮蔽部２１Ｒの鉛直下方領域にあったとしても、アンカーボルト１１及びガイド部材３３の中心軸の上向き延長線が建物ユニット２０の遮蔽部２１Ｒの側方を横切っているような場合には、アンカーボルト１１から引抜かれる際のガイド部材３３の頭部３３Ａはその中心軸上の頂点が遮蔽部２１Ｒに当たることなく、その頂点の周辺の裾野状部分が遮蔽部２１Ｒに当たるものになる。このとき、例えば図３に示す如く、ガイド部材３３の全長Ｌ3が前述の上下方向間隔Ｈより大きく設定されていても、ガイド部材３３の下端面から上記遮蔽部２１Ｒに当たる部分までの長さＬaを前述の上下方向間隔Ｈより小に設定することができるものになり、ガイド部材３３は建物ユニット２０の遮蔽部２１Ｒに干渉せずにアンカーボルト１１から撤去可能な形態に容易に選定され得るものになる。
【００５０】
(e)ガイド部材３２、３３が上下に分離可能な２部品からなるものとすることにより、上下のガイド部材３２、３３の長さＬ2、Ｌ3を一層短尺化し、それらの上下のガイド部材３２、３３を建物ユニット２０の遮蔽部２１Ｒに一層干渉させずにアンカーボルト１１から撤去できる。
【００５１】
以上、本発明の実施例を図面により詳述したが、本発明の具体的な構成はこの実施例に限られるものではなく、本発明の要旨を逸脱しない範囲の設計の変更等があっても本発明に含まれる。例えば、アンカーキャップは上下方向に分離可能な２個以上の部材からなるものであれば良く、スペーサ部材３１、及びガイド部材３２、３３のような３個からなるものに限らず、４個以上の部材からなるものであっても良い。
【００５２】
また、アンカーキャップの最下部の部材であるスペーサ部材は、上部構造体の被固定部である例えば土台２２の孔２３内に納まり、前述のアンカーボルト１１と孔２３との環状間隙Ｋを埋めるように留置されるものであれば、その長さＬ1を土台２２の板厚ｔより短くするものでも良い。
【００５３】
また、下部構造体はコンクリート基礎に限らず、上部構造体は建物ユニットに限らない。そして、上部構造体が下部構造体の上に据付けられたとき、アンカーボルトに被着されているアンカーキャップを鉛直上方から覆う上部構造体の側の遮蔽部は、上部構造体における例えば床枠組の根太２１Ａに形成された窓状切欠部の天井面等からなるものに限らない。
【産業上の利用可能性】
【００５４】
本発明によれば、上部構造体を下部構造体の上に据付けて固定可能にするアンカーボルトに被着されるアンカーキャップの使用時に、アンカーキャップを上部構造体に干渉させずにアンカーボルトから取り外しできる。
【００５５】
また、本発明によれば、上部構造体の据付け後における該上部構造体の横移動を防止できる。
【符号の説明】
【００５６】
１０  コンクリート基礎（下部構造体）
１１  アンカーボルト
２０  建物ユニット（上部構造体）
２１Ｒ  遮蔽部
２２  土台（被固定部）
２３  孔
３０  アンカーキャップ
３１  スペーサ部材
３２  ガイド部材
３３  ガイド部材
３３Ａ  頭部
Ｋ  環状間隙
【図１】
0006505543.tif 000002
【図２】
0006505543.tif 000003
【図３】
0006505543.tif 000004
【図４】
0006505543.tif 000005
【図５】
0006505543.tif 000006
【図６】
0006505543.tif 000007
【図７】
0006505543.tif 000008
【図８】
0006505543.tif 000009